(57)【要約】      （修正有）【課題】流体の通過を防止する不透過性遮断部材を形成し、歯支承帯片を把持するスライダを有する密封ファスナーを提供する。【解決手段】スライダ（７）内の空洞（１５）と上述の第２のカプセル（１１）内に形成される孔（１６）とを通して直交して摺動できる、上述の第１のカプセルに対して直交し、上方へ向けられるピン（１４）を有し、および上述の把持部材（８）が、手段（１７、１８）へ接続されか、または上述の手段を有し、上述の手段は、作動されると、上述のファスナー（１）の平面（α）へ直交する方向に、上述の第２のカプセル（１１）へ向けての上述の第１のカプセル（１０）および上述の第１のカプセル（１０）へ向けての上述の第２のカプセル（１１）を同時に移動させるので、その結果、上述の帯片（５、６）を、所望の圧力で上述のカプセル間に把持するに足るように、上述の周辺縁部（１２、１３）の上述の端部（１２ｔ、１３ｔ）の互いに向けての移動が生じる。【選択図】図１
0003120997.tif 000002
【実用新案登録請求の範囲】
【請求項１】
圧縮自在の弾性材料の２つの帯片（５、６）上に取付けられる２列の対面する歯（３、４）を備える密封不透過性ファスナー（１、２）であって、前記歯は、移動自在のスライダ（７、２７）の外方に突出る把持部材（８、９）を把持することにより移動できる前記移動自在のスライダ（７、２７）により、互いに係合および離脱されるファスナーにおいて、前記帯片（５、６）の両側面において、前記スライダ（７、２７）には、第１の凹状カプセル（１０）と第２の凹状カプセル（１１）が設けられ、それらの前記カプセルは、ほぼ互いに左右対称であり、かつ凹状部の前記周辺縁部（１２、１３）を互いに対向させて配置される形態を有し、前記第１のカプセルは、前記スライダ（７）内の空洞（１５）と前記第２のカプセル（１１）内に形成される孔（１６）とを通して直交して摺動できる、前記第１のカプセルに対して直交し、上方へ向けられるピン（１４）を有し、前記把持部材（８、９）が、手段（１７、１８、１９、２０）へ接続されか、または前記手段を有し、前記手段は、作動されると、前記ファスナー（１）の平面（α）へ直交する方向に、前記第２のカプセル（１１）へ向けての前記第１のカプセル（１０）および前記第１のカプセル（１０）へ向けての前記第２のカプセル（１１）を同時に移動させるので、その結果、前記帯片（５、６）を、所望の圧力で前記カプセル間に把持するに足るように、前記カプセル（１０、１１）の前記周辺縁部（１２、１３）の前記端部（１２ｔ、１３ｔ）の互いに向けての移動が生じることを特徴とする、ファスナー。
【請求項２】
前記把持部材がプルタグ（８）であり、前記プルタグ（８）は、前記スライダ（７）と一体のキャップ（２４）上に両端部でキー止めされるスピンドル（１９）上にキー止めされ、かつ前記第２のカプセル（１１）の上壁（１１ｓ）と接触するカム表面（１７）を有し、前記スピンドル（１９）は、前記第１のカプセル（１０）から突出る前記ピン（１４）の自由端部と一体の部分（１４ｎ）に形成される横方向孔（２０）を通過し、およびカム状であり、かつ前記キャップ（１６）内に形成される空洞（１８）と接触する少なくとも１つのセクション（１９ｔ）を有し、前記セクション（１９ｔ）は、前記プルタグ（８）の同一の回転の場合に、前記第２のカプセル（１１）が、前記カム表面（１７）の作用により距離（Δｘ）を通して前記第１のカプセル（１０）へ向けて移動され、および前記第１のカプセル（１０）が、前記スピンドル（１９）の前記セクション（１９ｔ）により、同等で方向が反対の距離（−Δｘ）を通して前記第第２のカプセル（１１）へ向けて移動されるように設計されるので、２つの前記カプセル（１０、１１）は、２つのほぼ同等で反対方向のスラストを、前記カプセル間で把持される前記帯片（５、６）の両側面に加えることを特徴とする、請求項１に記載のファスナー。
【請求項３】
前記把持部材が、円筒形部分（９ｃ）を有するノブ（９）であり、前記円筒形部分（９ｃ）には、前記第１のカプセル（１０）上に設けられる前記ピン（１４）のネジ切りされた自由端部（１４ｎ）と係合する第１のネジ部分（２２）を有する同軸の孔（２５）が設けられ、前記円筒形部分（９ｃ）は、第１のネジ部分（２２）のものと方向が反対である第２のネジ部分（２１）を外側に有し、前記第２のネジ部分（２１）は、前記第２のカプセル（１１）内に形成されるネジ切り孔（２３）の内側と係合するので、前記ノブ（９）の回転（Ｒ）により、前記２つのカプセル（１０、１１）の移動量（Ｂ，Ｄ）が反対方向に、かつ前記ピン（１４）の軸に平行になり、これらの前記カプセルは、所望の圧力で、前記帯片（５、６）を前記カプセル間で把持できることを特徴とする、上述の請求項のいずれか１項に記載のファスナー。
【請求項４】
前記ノブ（９）の側面はローレット切りされることを特徴とする、請求項３に記載のファスナー。
【請求項５】
溝（２６）が、前記カプセル（１０、１１）の周辺縁部（１２、１３）間に位置決めされる前記歯（３、４）のセットまたは複数のセット上に形成され、前記溝（２６）は、前記周辺縁部（１２、１３）が、できるだけ完全に互いに向けて移動されたときに、前記周辺縁部の端部（１２ｔ、１３ｔ）を相補的な仕方で内蔵できることを特徴とする、上述の請求項のいずれか１項に記載のファスナー。
【請求項６】
前記歯（３、４）が上に取付けられる前記２つの帯片（５、６）は、全体を形成するか、または前記ファスナー（１）が全閉されるときに、前記スライダ（７）により占められる前記ファスナー（１）の前記端部を越えて位置決めされる前記ゾーン（Ｚ）において互いに密閉接合されることを特徴とする、上述の請求項のいずれか１項に記載のファスナー。
【考案の詳細な説明】
【技術分野】
【０００１】
本考案は、密封ファスナー、すなわち、流体の通過を防止する不透過性遮断部材を形成する必要がある型式のファスナーの分野に関する。
【背景技術】
【０００２】
最近、互いに面し、かつ比較的圧縮自在の弾性材料の帯片上に取付けられる２列の歯間で、圧力を受けた水、空気および気体の通過を防止する目的で、多くの解決策が考案されている。既知のように上述の歯が、スライダと呼ばれる部材により互いに接合され、その部材は、移動自在であり、かつプルタブ、またはそのような把持部材を把持することにより、移動させられる。
【考案の開示】
【考案が解決しようとする課題】
【０００３】
ファスナーが、上述のスライダが取付けられる、その端部で閉じされると、歯のゾーンと、その歯間に必然的に位置決めされるスライダ部分との間に浸透の危険があり、および上述の防止手段は、役に立たなく、また歯が互いに接合され、さらに帯片が互いに押付けられるゾーンだけに有効である。
【課題を解決するための手段】
【０００４】
この欠点を克服するために、本考案の内容の考案者は、ここに記載される型式のファスナーを考案した。しかしながら、そのファスナーにおいては、ほぼ互いに左右対称であり、かつ凹状部の周辺縁部を互いに対向させて配置される形態を有する第１と第２の凹状カプセルが、スライダ上に、かつそのスライダの両側面に設けられる。
【考案の効果】
【０００５】
上述のカプセルの１つは、そのカプセルに直交し、およびスライダ本体を通して、かつ他のカプセルに形成される孔を通して摺動できるピンを有し、また上述の把持部材が、ある手段へ接続され、その手段は、作動されると、ファスナーの平面へ直交する方向に両方のカプセルを互いに向けて同時に移動せせるので、その結果、歯を支承する弾性材料の２つの帯片が、所望の圧力で上述のカプセル間に把持される。
【０００６】
このようにして、歯とスライダが互いに接合され、かつ浸透の潜在的危険がある上述のゾーンは、上述のカプセルの周辺縁部内で閉止されたままであり、それらのカプセルが、液体の通過に対する遮断部材として作用する。
【０００７】
したがって、本考案の目的は、添付請求項１に記載されたものに従う密封ファスナーを提供することにある。
【考案を実施するための最良の形態】
【０００８】
本考案に従うファスナーの好ましい実施例をここで説明し、および説明の際に、添付図面を参照する。
【０００９】
まず第１に図１、２、３および４を検討するならば、これらの図には本考案に従うファスナー１の第１の実施例が示され、そのファスナー１は、２つの圧縮自在の弾性帯片５，６の１つの縁部に沿って互いに面する、弾性帯片５，６上に固定される２列の歯３，４を互いに接合し、および離脱する、プルタグ８を有するスライダ７を備え、スライダ７の２方向への移動が、上述のプルタグ８を既知の仕方で作動することにより達成される。
【００１０】
本考案に従うファスナー１において、上述のスライダ７には、上述の帯片５、６の両側面に、第１の凹状カプセル１０と第２の凹状カプセル１１が設けられ、それらのカプセルは、ほぼ互いに左右対称であり、かつ凹状部の周辺縁部１２、１３を互いに対向させて配置される形態を有する。
【００１１】
下部位置において示される上述の第１のカプセル１０は、上方へ向けられ、かつスライダ７内の空洞１５と第２のカプセル内に形成される孔１６とを通過する直立したピン１４を有するので、２つのカプセル１０、１１が、上述のピン１４に沿って互いに垂直に摺動できる。
【００１２】
プルタグ８は、スライダ７の一部分を形成するキャップ２４上に、両端部において回動自在に取付けられるスピンドル１９上に一体でキー止めされ、およびプルタグ８自体は、上述の第２のカプセル１１の上壁１１ｓと接触するカム表面１７を外側に有する。上述のスピンドル１９は、第１のカプセル１０から突出る上述のピン１４の自由端部と一体の部分１４ｎに形成される横方向孔２０（これに関しては、スピンドルが明確にするために省略された図３の拡大詳細図も参照）を通過し、およびカム状であり、かつ上述のキャップ２４内に形成される空洞１８と接触する少なくとも１つのセクション１９ｔを有する。このカム形状セクション１９ｔは、寸法を有し、またプルタグ８の同一の回転Y（図１と２）の場合に、第２のカプセル１１が、距離Δｘを通して第１のカプセル１０へ向けて移動される（上述のカム表面１７の回転の結果として）ように形状が決められ、その距離Δｘは、上述のカム状セクション１９ｔの回転の結果として第１のカプセル１０が第２のカプセル１１へ向けて移動する距離−Δｘと等しく、かつそれと反対方向である。
【００１３】
上述の配置により、上述の２つのカプセル１０、１１の周辺側部１２、１３が、プルタグ８が１８０°回転すると、２つのほぼ同等で反対方向のスラストを、カプセル間で把持される上述の帯片５、６の両側面に加えるという作用が生じる。
【００１４】
他方では、図５と６は、本考案に従うファスナー２の第２の実施例を示す。この図面で分かるように、スライダ２７は、前述の実施例のものと同様であり、またスピンドル１４を備える第１のカプセル１０、および上述のスピンドル１４が通過する第２のカプセル１１を有する。２つのカプセル１０、１１の形態と配置は、前述の実施例のものと全体的に同様であるが、スライダ２７を移動する把持部材がノブ９であり、そのノブ９は、把持作用を向上するために好ましくはローレット切りされ、また円筒形部分９ｃを有し、その部分９ｃには、第１のカプセル１０から突出るピン１４のネジ切りされた自由端部１４ｎと係合する第１のネジ部分２２を有するネジ切りされた同軸の孔２５が設けられる。
【００１５】
上述の円筒形部分９ｃには、第２のネジ部分２１が外側に設けられ、そのネジ部分は、第１のネジ部分２２のものと方向が反対であり、かつ第２のカプセル１１内に形成されるネジ切り孔２３の内側と係合し、これらの種々のネジ部分のピッチと方向は、上述のノブ９の回転Ｒにより、２つのカプセル１０、１１の移動量Ｂ，Ｄが反対方向に、かつ上述のピン１４の軸に平行になるように決められるので、これらのカプセルは、図６に示されるように、所望の圧力で、帯片５、６をカプセル間で把持できる。
【００１６】
これまで述べられた両方の場合において、限定された程度の移動および／または回転により、弾性帯片の上述の把持（すなわち、浸透の危険に曝されるゾーンの密封閉止）を達成できる、密封ファスナーにとり重要な利点が得られた。両方の場合に、実際上、プルタグ８の回転移動Ｙとノブ９の回転移動Ｒとにより、２つの閉止移動量（Δｘ、−Δｘ、Ｂ、Ｄ）が同時に生じ、その移動量の合計は、カプセル１０、１１間で、かつ周辺縁部１２、１３の端部１２ｔ、１３ｔ間で帯片５、６上に二重把持作用を生成する。
【００１７】
帯片５、６上のカプセル１０、１１の有効な作用を確保するために、考案者は、カプセル１０、１１の周辺縁部１２、１３間に位置決めされる歯３、４のセットまたは複数のセット上に溝２６を形成することを意図し、その溝２６は、前記周辺縁部が、できるだけ完全に互いに向けて移動されたときに、すなわち、ファスナー１、２が、カプセル１０、１１間でその帯片５、６の把持の手段により閉止されて、密封されたときに、前記周辺縁部の端部１２ｔ、１３ｔを相補的な仕方で内蔵できる。
【００１８】
本考案に従って提供されるファスナーの密封を確保するために、考案者により意図された別の手段は、歯３、４が、第１の実施例と連係して図４に示されるように全体を形成するように、またはそれらの歯が、ファスナーが全閉されるときにスライダ（この場合は７）により全て占められるファスナーの端部を越えて位置決めされるゾーンＺにおいて互いに密閉接合される（この状態は図示されない）ように、それらの歯が上に取付けられる帯片５、６を設計することにある。
【００１９】
図面に、この手段を一層明確に図示するために、全ての図においてスライダの右側に示される上述のゾーンＺの帯片部分は、スライダの左に位置決めされる帯片の２つの部分に関して参照数字５、６により表示されている。
【図面の簡単な説明】
【００２０】
【図１】図１は、上述のカプセルを互いに離間させた、本考案に従うファスナーの第１の実施例を通した拡大断面図である。
【図２】図２は、スライダにより実施される１８０°の回転後の、カプセルを互いに接近させ、かつ歯支承帯片を把持した、図１と同一の断面図である。
【図３】図３は、図１、２に従う実施例の詳細の別の拡大透視断面図である。
【図４】図４は、上述の図の実施例の透視図である。
【図５】図５は、上述のカプセルを互いに離間させた、本考案に従うファスナーの第２の実施例を通した拡大断面図である。
【図６】図６は、スライダから垂直方向に突出るノブの回転後の、カプセルを互いに接近させ、かつ歯支承帯片を把持した、図４と同一の断面図である。
【符号の説明】
【００２１】
１−ファスナー，２−ファスナー，３−歯，４−歯，５−弾性帯片，６−弾性帯片，７−スライダ，８−プルタグ，９−ノブ，９ｃ−円筒形部分，１０−凹状カプセル，１１−凹状カプセル，１１ｓ−凹状カプセル１１の上壁，１２−凹状部の周辺縁部，１２ｔ−周辺縁部１２の端部，１３−凹状部の周辺縁部，１３ｔ−周辺縁部１３の端部，１４−ピン，１４ｎ−ピン１４の自由端部，１５−空洞，１６−孔，１７−カム表面，１８−空洞，１９−スピンドル，１９ｔ−カム形状セクション，２０−横方向孔，２１−ネジ部分，２２−ネジ部分，２３−ネジ切り孔，２４−キャップ，２５−孔，２６−溝，２７−スライダ
【図１】
0003120997.tif 000003
【図２】
0003120997.tif 000004
【図３】
0003120997.tif 000005
【図４】
0003120997.tif 000006
【図５】
0003120997.tif 000007
【図６】
0003120997.tif 000008
【手続補正書】
【提出日】平成18年2月6日(2006.2.6)
【手続補正１】
【補正対象書類名】実用新案登録請求の範囲
【補正対象項目名】全文
【補正方法】変更
【補正の内容】
【実用新案登録請求の範囲】
【請求項１】
圧縮自在の弾性材料の２つの帯片（５、６）上に取付けられる２列の対面する歯（３、４）を備える密封不透過性ファスナー（１、２）であって、前記歯は、移動自在のスライダ（７、２７）の外方に突出る把持部材（８、９）を把持することにより移動できる前記移動自在のスライダ（７、２７）により、互いに係合および離脱されるファスナーにおいて、前記帯片（５、６）の両側面において、前記スライダ（７、２７）には、第１の凹状カプセル（１０）と第２の凹状カプセル（１１）が設けられ、それらの前記カプセルは、ほぼ互いに左右対称であり、かつ凹状部の前記周辺縁部（１２、１３）を互いに対向させて配置される形態を有し、前記第１のカプセルは、前記スライダ（７）内の空洞（１５）と前記第２のカプセル（１１）内に形成される孔（１６）とを通して直交して摺動できる、前記第１のカプセルに対して直交し、上方へ向けられるピン（１４）を有し、前記把持部材（８、９）が、手段（１７、１８、１９、２０）へ接続されか、または前記手段を有し、前記手段は、作動されると、前記ファスナー（１）の平面（α）へ直交する方向に、前記第２のカプセル（１１）へ向けての前記第１のカプセル（１０）および前記第１のカプセル（１０）へ向けての前記第２のカプセル（１１）を同時に移動させるので、その結果、前記帯片（５、６）を、所望の圧力で前記カプセル間に把持するに足るように、前記カプセル（１０、１１）の前記周辺縁部（１２、１３）の前記端部（１２ｔ、１３ｔ）の互いに向けての移動が生じることを特徴とする、ファスナー。
【請求項２】
前記把持部材がプルタグ（８）であり、前記プルタグ（８）は、前記スライダ（７）と一体のキャップ（２４）上に両端部でキー止めされるスピンドル（１９）上にキー止めされ、かつ前記第２のカプセル（１１）の上壁（１１ｓ）と接触するカム表面（１７）を有し、前記スピンドル（１９）は、前記第１のカプセル（１０）から突出る前記ピン（１４）の自由端部と一体の部分（１４ｎ）に形成される横方向孔（２０）を通過し、およびカム状であり、かつ前記キャップ（１６）内に形成される空洞（１８）と接触する少なくとも１つのセクション（１９ｔ）を有し、前記セクション（１９ｔ）は、前記プルタグ（８）の同一の回転の場合に、前記第２のカプセル（１１）が、前記カム表面（１７）の作用により距離（Δｘ）を通して前記第１のカプセル（１０）へ向けて移動され、および前記第１のカプセル（１０）が、前記スピンドル（１９）の前記セクション（１９ｔ）により、同等で方向が反対の距離（−Δｘ）を通して前記第第２のカプセル（１１）へ向けて移動されるように設計されるので、２つの前記カプセル（１０、１１）は、２つのほぼ同等で反対方向のスラストを、前記カプセル間で把持される前記帯片（５、６）の両側面に加えることを特徴とする、請求項１に記載のファスナー。
【請求項３】
前記把持部材が、円筒形部分（９ｃ）を有するノブ（９）であり、前記円筒形部分（９ｃ）には、前記第１のカプセル（１０）上に設けられる前記ピン（１４）のネジ切りされた自由端部（１４ｎ）と係合する第１のネジ部分（２２）を有する同軸の孔（２５）が設けられ、前記円筒形部分（９ｃ）は、第１のネジ部分（２２）のものと方向が反対である第２のネジ部分（２１）を外側に有し、前記第２のネジ部分（２１）は、前記第２のカプセル（１１）内に形成されるネジ切り孔（２３）の内側と係合するので、前記ノブ（９）の回転（Ｒ）により、前記２つのカプセル（１０、１１）の移動量（Ｂ，Ｄ）が反対方向に、かつ前記ピン（１４）の軸に平行になり、これらの前記カプセルは、所望の圧力で、前記帯片（５、６）を前記カプセル間で把持できることを特徴とする、請求項１〜２のいずれか１項に記載のファスナー。
【請求項４】
前記ノブ（９）の側面はローレット切りされることを特徴とする、請求項３に記載のファスナー。
【請求項５】
溝（２６）が、前記カプセル（１０、１１）の周辺縁部（１２、１３）間に位置決めされる前記歯（３、４）のセットまたは複数のセット上に形成され、前記溝（２６）は、前記周辺縁部（１２、１３）が、できるだけ完全に互いに向けて移動されたときに、前記周辺縁部の端部（１２ｔ、１３ｔ）を相補的な仕方で内蔵できることを特徴とする、請求項１〜４のいずれか１項に記載のファスナー。
【請求項６】
前記歯（３、４）が上に取付けられる前記２つの帯片（５、６）は、全体を形成するか、または前記ファスナー（１）が全閉されるときに、前記スライダ（７）により占められる前記ファスナー（１）の前記端部を越えて位置決めされる前記ゾーン（Ｚ）において互いに密閉接合されることを特徴とする、請求項１〜５のいずれか１項に記載のファスナー。